(57)【要約】      （修正有）【課題】三分丈下着等のように腿挿入部が形成されている下着の場合でも尿漏用パッドを着用者の股間部に密着当接した状態を保持できる尿漏用パッド対応下着を提供する。【解決手段】尿漏用パッド対応下着１０の下着本体１２は下着本体部１４と下着本体部１４に連続形成された腿挿入部１６，１６を備えている。下着本体部１４の前部中央内側には第１係止体１８，１８が、下着本体部１４の後部中央内側には第２係止体２４，２４が縫着されている。下着本体部１４には尿漏用パッド保持帯体３０が下着本体１２の前後方向に向かって架け渡されている。尿漏用パッド保持帯体３０の一端部外側には第１被係止体が縫着され、尿漏用パッド保持帯体３０の他端部外側には第２被係止体が縫着されている。【選択図】図１
0003166519.tif 000002
【実用新案登録請求の範囲】
【請求項１】
下着本体部の前部内側に設けられた第１係止体と、前記下着本体部の後部内側に設けられた第２係止体と、前記下着本体部の前後方向に向かって架け渡されて配設されると共に尿漏用パッドが載置される尿漏用パッド保持帯体と、この尿漏用パッド支持帯体の一端部に設けられると共に前記第１係止体と係止可能な第１被係止体と、前記尿漏用パッド保持帯体の他端部に設けられると共に前記第２係止体と係止可能な第２被係止体と、を有してなることを特徴とする尿漏用パッド対応下着。
【請求項２】
下着本体部の前部内側に設けられた第１係止体と、前記下着本体部の後部内側に設けられた第２係止体と、前記下着本体部の前後方向に向かって架け渡されて配設されると共に尿漏用パッドが載置される尿漏用パッド保持帯体と、この尿漏用パッド保持帯体の一端部に設けられると共に前記第１係止体と係止可能な第１被係止体と、前記尿漏用パッド保持帯体の他端部に設けられると共に前記第２係止体と係止可能な第２被係止体と、前記尿漏用パッド保持帯体の一側部と他側部に形成されたヒダと、を有してなることを特徴とする尿漏用パッド対応下着。
【請求項３】
下着本体部の前部内側に設けられた第１係止体と、前記下着本体部の後部内側に設けられた第２係止体と、前記下着本体部の前後方向に向かって架け渡されて配設されると共に尿漏用パッドが載置される尿漏用パッド保持帯体と、この尿漏用パッド保持帯体の一端部に設けられると共に前記第１係止体と係止可能な第１被係止体と、前記尿漏用パッド保持帯体の他端部に設けられると共に前記第２係止体と係止可能な第２被係止体と、前記尿漏用パッド支持帯体の一側部と他側部に形成されたヒダと、前記下着本体のウエスト部外側に周方向に沿って複数設けられた第３係止体と、を有してなることを特徴とする尿漏用パッド対応下着。
【考案の詳細な説明】
【技術分野】
【０００１】
本考案は、尿漏用パッドが股間部に密着当接した状態で保持できる尿漏用パッド対応下着に関する。
【背景技術】
【０００２】
高齢や病気、怪我等で足腰が弱った人がトイレに行くまでに尿失禁しても下着やパジャマ等が汚れるのを防止する製品として従来より尿漏用パッドが提案されている（特許文献１）。
この尿漏用パッドを使用する場合は尿漏用パッドを着用者の股間部に密着当接した状態にして下着を穿くと下着の股部が前記尿漏用パッドと当接し、これにより前記尿漏用パッドが股間部に密着当接している状態を保持できるようになっている。
このため、尿漏用パッドを使用した場合はトイレに行くまでに尿失禁したとしても尿は尿漏用パッドの吸水部に吸水されて下着やパジャマ等を汚さないようになっている。
ところで、腿挿入部が形成されていないショーツ等の下着の場合は上述したように尿漏用パッドを着用者の股間部に密着当接することができるが、三分丈下着、五分丈下着、七分丈下着のように腿挿入部が形成されている下着を穿いた場合は前記ショーツ等の下着を穿いた場合と異なり下着の股部を着用者の股間部に密着させることが難しい。
このため、前記三分丈下着、五分丈下着、七分丈下着のように腿挿入部が形成されている下着を穿いた場合は尿漏用パッドを着用者の股間部に密着当接させた状態を保持することが困難である。
この結果、前記尿漏用パッドと使用者の股間部との間に隙間が生じてしまい、着用者が尿失禁した場合に尿漏用パッドの吸水部が尿を完全に吸水することができず、尿漏れを起こして下着やパジャマ等を汚してしまうという不具合がある。
【先行技術文献】
【特許文献】
【０００３】
【特許文献１】特開平８−２７６１２号公報
【考案の概要】
【考案が解決しようとする課題】
【０００４】
本考案は、上記事実に鑑みなされたものであり、三分丈下着、五分丈下着、七分丈下着のように腿挿入部が形成されている下着の場合でも尿漏用パッドを着用者の股間部に密着当接させて、尿失禁した場合に尿漏れを防止できる尿漏用パッド対応下着を提供するものである。
【課題を解決するための手段】
【０００５】
請求項１の考案は、下着本体部の前部内側に設けられた第１係止体と、前記下着本体部の後部内側に設けられた第２係止体と、前記下着本体部の前後方向に向かって架け渡されて配設されると共に尿漏用パッドが載置される尿漏用パッド保持帯体と、この尿漏用パッド支持帯体の一端部に設けられると共に前記第１係止体と係止可能な第１被係止体と、前記尿漏用パッド保持帯体の他端部に設けられると共に前記第２係止体と係止可能な第２被係止体と、を有してなることを特徴としている。
請求項２の考案は、下着本体部の前部内側に設けられた第１係止体と、前記下着本体部の後部内側に設けられた第２係止体と、前記下着本体部の前後方向に向かって架け渡されて配設されると共に尿漏用パッドが載置される尿漏用パッド保持帯体と、この尿漏用パッド保持帯体の一端部に設けられると共に前記第１係止体と係止可能な第１被係止体と、前記尿漏用パッド保持帯体の他端部に設けられると共に前記第２係止体と係止可能な第２被係止体と、前記尿漏用パッド保持帯体の一側部と他側部に形成されたヒダと、を有してなることを特徴としている。
請求項３の考案は、下着本体部の前部内側に設けられた第１係止体と、前記下着本体部の後部内側に設けられた第２係止体と、前記下着本体部の前後方向に向かって架け渡されて配設されると共に尿漏用パッドが載置される尿漏用パッド保持帯体と、この尿漏用パッド保持帯体の一端部に設けられると共に前記第１係止体と係止可能な第１被係止体と、前記尿漏用パッド保持帯体の他端部に設けられると共に前記第２係止体と係止可能な第２被係止体と、前記尿漏用パッド支持帯体の一側部と他側部に形成されたヒダと、前記下着本体のウエスト部外側に周方向に沿って複数設けられた第３係止体と、を有してなることを特徴としている。
【考案の効果】
【０００６】
本考案の尿漏用パッド対応下着は、腿挿入部が形成されている下着を穿いた場合でも尿漏用パッドを着用者の股間部に密着当接することができるので、尿漏れを防止できるという優れた効果を有する。
本考案の尿漏用パッド対応下着は、尿失禁して尿漏用パッドが吸水された尿によって重くなっても、尿漏用パッドは尿漏用パッド保持帯体によって股間部に密着当接した状態を保持されるので尿漏用パッドが重みでずり下がることはなく、また尿失禁しても尿漏れによって下着やパジャマ等を汚すことを防止できるという優れた効果を有する。
【図面の簡単な説明】
【０００７】
【図１】第１実施例の尿漏用パッド対応下着の全体斜視図である。
【図２】第１実施例の尿漏用パッド対応下着の縦断面図である。
【図３】第１実施例の尿漏用パッド対応下着の正面図である。
【図４】第１実施例の尿漏用パッド対応下着の分解斜視図である。
【図５】第２実施例の尿漏用パッド対応下着とパジャマのズボンの分解斜視図である。
【図６】第２実施例の尿漏用パッド対応下着をパジャマのズボンに取り付けた斜視図である。
【考案を実施するための形態】
【０００８】
考案を実施するために最良の形態の例として以下のような実施例を示す。
【実施例１】
【０００９】
図１〜図４には本考案に係る尿漏用パッド対応下着の第１実施例が示されている。なお、第１実施例の尿漏用パッド対応下着１０は腿挿入部が形成されている三分丈女性用下着に適用した場合を例にして説明する。
図１に示されるように、本考案の尿漏用パッド対応下着１０の下着本体１２は下着本体部１４と下着本体部１４に連続形成された腿挿入部１６，１６を備えている。
図４に示されるように、下着本体部１４の前部中央内側には第１係止体１８，１８が二段になって縫着されている。これら第１係止体１８は矩形状の布製ベース体２０と、この布製ベース体２０に間隔を設けて固定された３個の凹状ボタン２２から形成されている。
また、前記下着本体部１４の後部中央内側には二段になって第２係止体２４，２４が縫着されている。これら第２係止体２４は矩形状の布製ベース体２６と、この布製ベース体２０に間隔を設けて固定された３個の凹状ボタン２８から形成されている。
図１及び図２に示されるように、前記下着本体部１４には下着本体１２と共に尿漏用パッド対応下着１０を構成する尿漏用パッド保持帯体３０が下着本体部１４の前後方向に向かって架け渡された状態で配設されている。この尿漏用パッド保持帯体３０は下方に少し弛んで設けられている。また、図２に示されるように前記尿漏用パッド保持帯体３０は下着本体部１４の股部１４Ａの上方に位置するようになっている。
前記尿漏用パッド保持帯体３０の上には公知の尿漏用パッド３２を載置できるようになっている。また、前記尿漏用パッド保持帯体３０は布製で、前後方向には伸縮しないが横方向には伸縮するように形成されている。
図４に示されるように、前記尿漏用パッド保持帯体３０の一端部外側には前記第１係止体１８と係止可能な第１被係止体３４が縫着されている。この第１被係止体３４は矩形状の布製ベース体３６と、この布製ベース体３６に間隔を設けて固定された３個の凸状ボタン３８から形成されている。これら凸状ボタン３８は前記凹状ボタン２２と嵌合可能になっている。
また、前記尿漏用パッド保持帯体３０の他端部外側には前記第２係止体２４と係止可能な第２被係止体４０が縫着されている。この第２被係止体４０は矩形状の布製ベース体４２と、この布製ベース体４２に間隔を設けて固定された３個の凸状ボタン４４から形成されている。これら凸状ボタン４４は前記凹状ボタン２８と嵌合可能になっている。
従って、前記尿漏用パッド保持帯体３０の凸状ボタン３８を前記下着本体部１４の凹状ボタン２２と嵌合させ、尿漏用パッド保持帯体３０の凸状ボタン４４を前記下着本体部１４の凹状ボタン２８と嵌合させることにより、尿漏用パッド保持帯体３０を下着本体部１４に取り付けることができるようになっている。
なお、尿漏用パッド対応下着１０には第１係止体１８と第２係止体２４がそれぞれ二段になって逢着されているので、前記尿漏用パッド保持帯体３０の取り付け高さ位置を二段階で調節できるようになっている。
前記尿漏用パッド保持帯体３０の一側部３０Ａと他側部３０Ｂには前後方向に沿ってそれぞれヒダ４６が形成されており、着用者が尿失禁した場合に尿が尿漏用パッド保持帯体３０の上に流れても一側部３０Ａと他側部３０Ｂから尿が漏れ難いようになっている。
【００１０】
次に、第１実施例の尿漏用パッド対応下着１０の作用について説明する。
第１実施例の尿漏用パッド対応下着１０を使用する場合は、尿漏用パッド保持帯体３０に尿漏用パッド３２を載置する。
そして、尿漏用パッド対応下着１０の腿挿入部１６，１６にそれぞれ足を入れて尿漏用パッド対応下着１０を穿く。
尿漏用パッド３２は下着本体部１４の股部１４Ａの上方に架け渡されて設けられた尿漏用パッド保持帯体３０に載置されているので、尿漏用パッド対応下着１０の股部１４Ａが着用者の股間部に密着当接しなくても尿漏用パッド３２は着用者の股間部に密着当接した状態で保持される。
従って、着用者が尿失禁したとしても着用者の股間部には尿漏用パッド３２が密着状態で当接されているので股間部と尿漏用パッド３２との間には隙間がほとんど生ぜず、尿は尿漏用パッド３２の吸水部３２Ａで吸水される。
また、前記尿漏用パッド保持帯体３０の一側部３０Ａと他側部３０Ｂにはそれぞれヒダ４６が形成されているので、尿が尿漏用パッド３２から漏れたとしても尿漏用パッド保持帯体３０の一側部３０Ａと他側部３０Ｂから尿が漏れして下着やパジャマ等を汚すことを防止することができる。
さらに、前記尿漏用パッド対応下着１０を着用した状態で尿失禁して尿漏用パッド３２が吸水された尿によって重くなっても、尿漏用パッド３２は尿漏用パッド保持帯体３０によって股間部に密着当接した状態を保持されるので尿漏用パッド３２が重みでずり下がることはなく、また尿失禁しても尿漏れによって下着やパジャマ等を汚すことを防止できる。
なお、前記尿漏用パッド保持帯体３０は下着本体１２に簡単に取り付け取り外しができるので、尿漏用パッド保持帯体３０のみを洗濯でき清潔さを保つことができる。
【００１１】
図５及び図６には第２実施例の尿漏用パッド対応下着５０が示されている。なお、第１実施例の尿漏用パッド対応下着１０と同一の構成は同一の符号を用いてその説明を省略する。
図５及び図６に示されるように、第２実施例の尿漏用パッド対応下着５０の下着本体部１４のウエスト部１４Ａの外側面には第３係止体５２が周方向に向かって等間隔で４個（図面では２個のみを示す）取り付けられている。この第３係止体５２は矩形状の布製ベース体５４と、この布製ベース体５４に固定された凸状ボタン５６から形成されている。
また、前記尿漏用パッド対応下着５０の上に穿くパジャマのズボン６０のウエスト部６０Ａの内側面には第３被係止体６２が周方向に向かって等間隔で４個（図では２個のみを示す）取り付けられている。この第３被係止体６２は矩形状の布製ベース体６４と、この布製ベース体６４に固定された凹状ボタン６６から形成されている。
従って、前記尿漏用パッド対応下着５０をパジャマのズボン６０に入れて第３係止体５４の凸状ボタン５６と第３被係止体６２の凹状ボタン６６を嵌合させれば尿漏用パッド対応下着５０をパジャマのズボン６０に取り付けることができる。
前記尿漏用パッド対応下着５０をパジャマのズボン６０に取り付けることにより着用者がトイレで用便をする時にパジャマのズボン６０を下ろすだけで前記尿漏用パッド対応下着５０、尿漏用パッド３２も一緒に下ろすことができるので、着用者は簡単かつ迅速に用便をすることができる。
なお、この実施例では下着本体部１４のウエスト部１４Ａに４個設けられた布製ベース体５４の中、前側の布製ベース体５４は赤色、後側の布製ベース体５４は青色が着色されている。また、パジャマのズボン６０のウエスト部６０Ａに４個設けられた布製ベース体６４の中、前側の布製ベース体６４は赤色、後側の布製ベース体６４は青色が着色されている。
従って、前記尿漏用パッド対応下着５０をパジャマのズボン６０に取り付ける場合において赤色の布製ベース体５４と赤色の布製ベース体６４を対応させ、青色の布製ベース体５４と青色の布製ベース体６４を対応させれば、尿漏用パッド対応下着５０とパジャマのズボン６０の取付位置を一見して知ることができ誤ることなく容易に取り付けることができるので便利である。
なお、他の構成及び作用は第１実施例の尿漏用パッド対応下着１０と同一であるのでその説明は省略する。
【００１２】
なお、実施例では第１係止体１８と第２係止体２４をそれぞれ二段になって縫着したが、第１係止体１８と第２係止体２４は一段でも三段以上でもよいことは勿論である。
また、実施例では第１係止体１８、第２係止体２４、第３係止体５２、第１被係止体３４、第２被係止体４０、第３被係止体６２としてボタンを示したが、第１係止体１８、第２係止体２４、第３係止体５２、第１被係止体３４、第２被係止体４０、第３被係止体６２は互いに係止できるものであればマジックテープ（登録商標）等でもよいことは勿論である。
なお、第２実施例では尿漏用パッド対応下着５０をパジャマのズボン６０に取り付けることができる旨を示したが、尿漏用パッド対応下着５０を取り付けるのはパジャマのズボン６０に限定されるものでなく、ズボンやスラックス等でもよいことは勿論である。
【産業上の利用可能性】
【００１３】
本考案の尿漏用パッド対応下着は女性用下着だけでなく男性用下着にも使用するができる。
【符号の説明】
【００１４】
１０    尿漏用パッド対応下着
１２    下着本体
１４    下着本体部
１６    腿挿入部
１８    第１係止体
２０    布製ベース体
２２    凹状ボタン
２４    第２係止体
２６    布製ベース体
２８    凹状ボタン
３０    尿漏用パッド保持帯体
３２    尿漏用パッド
３４    第１被係止体
３６    布製ベース体
３８    凸状ボタン
４０    第２被係止体
４２    布製ベース体
４４    凸状ボタン
４６    ヒダ
【図１】
0003166519.tif 000003
【図２】
0003166519.tif 000004
【図３】
0003166519.tif 000005
【図４】
0003166519.tif 000006
【図５】
0003166519.tif 000007
【図６】
0003166519.tif 000008